(57)【要約】【課題】外部端末の無線通信インタフェースの切り替えによる低消費電力化を実現できる「情報処理装置及びコンピュータプログラム」を提供する。【解決手段】車載装置１において、ミュージックプレイヤアプリケーション１１１によるモバイル装置２からのオーディオコンテンツのデータ転送の発生が予測されると（４０３）、車載装置１からＢＴインタフェース１０８を介して、モバイル装置２のＷｉ-Ｆｉ機能のオフが制御され（４０４）、モバイル装置２においてＷｉ-Ｆｉ機能が停止し（４０５）、車載装置１とモバイル装置２との、Ｗｉ-Ｆｉ接続が解除される。以降、車載装置１とモバイル装置２との間のオーディオコンテンツの転送がＢＴ接続上で行われる。【選択図】図４
2015091024.tif 000002
【特許請求の範囲】
【請求項１】
外部端末を無線接続可能な情報処理装置であって、
第１の無線通信規格で通信を行う第１の無線通信インタフェースと、
前記第１の無線通信規格よりも高速にデータ転送が可能、かつ、消費電力が大きい第２の無線通信規格で通信を行う第２の無線通信インタフェースと、
当該情報処理装置が、無線接続している外部端末との間でコンテンツのデータ転送を開始する際に、当該開始するデータ転送で転送するコンテンツの種別が所定の種別であり、かつ、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御する接続制御部とを有することを特徴とする情報処理装置。
【請求項２】
請求項１記載の情報処理装置であって、
当該情報処理装置に無線接続した外部端末からオーディオコンテンツをデータ転送し、再生出力するオーディオ再生部を備え、
前記コンテンツの所定の種別は、オーディオコンテンツであり、
前記接続制御部は、前記オーディオ再生部が、無線接続している外部端末との間でオーディオコンテンツのデータ転送を開始する際に、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御し、前記オーディオ再生部に前記第１の無線通信インタフェースと前記外部端末との無線接続を用いたオーディオコンテンツのデータ転送を行わせることを特徴とする情報処理装置。
【請求項３】
請求項２記載の情報処理装置であって、
当該情報処理装置に無線接続した外部端末からビデオコンテンツをデータ転送し、再生出力するビデオ再生部を備え、
前記接続制御部は、前記ビデオ再生部が、無線接続している外部端末との間でビデオコンテンツのデータ転送を開始する際に、当該外部端末が、前記第１の無線通信インタフェースに無線接続し、前記第２の無線通信インタフェースに無線接続していない場合に、前記外部端末の前記第２の無線通信規格で通信を行う機能の起動を前記第１の無線通信インタフェースと前記外部端末との無線接続を介して制御し、前記ビデオ再生部に前記第２の無線通信インタフェースと前記外部端末との無線接続を用いたビデオコンテンツのデータ転送を行わせることを特徴とする情報処理装置。
【請求項４】
請求項２または３記載の情報処理装置であって、
前記接続制御部は、前記外部端末の前記第２の無線通信規格で通信を行う機能の停止の制御を、前記第１の無線通信インタフェースと前記外部端末との無線接続を介して行うことを特徴とする情報処理装置。
【請求項５】
請求項２、３または４記載の情報処理装置であって、
前記接続制御部は、前記オーディオ再生部が、無線接続している外部端末との間でオーディオコンテンツのデータ転送を開始する際に、当該外部端末が、前記第１の無線通信インタフェースと前記第２の無線通信インタフェースとの双方に無線接続している場合に、前記外部端末の前記第２の無線通信規格で通信を行う機能の停止の要否をユーザに問い合わせ、機能の停止が指示された場合にのみ、前記外部端末の前記第２の無線通信規格で通信を行う機能の停止を制御し、前記オーディオ再生部に前記第１の無線通信インタフェースと前記外部端末との無線接続を用いたオーディオコンテンツのデータ転送を行わせることを特徴とする情報処理装置。
【請求項６】
請求項１記載の情報処理装置であって、
当該情報処理装置に無線接続した外部端末からビデオコンテンツをデータ転送し、再生出力するビデオ再生部を備え、
前記コンテンツの所定の種別は、ビデオコンテンツ以外のコンテンツの種別あり、
前記接続制御部は、当該情報処理装置が無線接続している外部端末との間でビデオコンテンツ以外の種別のコンテンツのデータ転送を開始する際に、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御し、当該情報処理装置に前記第１の無線通信インタフェースと前記外部端末との無線接続を用いたビデオコンテンツ以外の種別のコンテンツのデータ転送を行わせることを特徴とする情報処理装置。
【請求項７】
請求項６記載の情報処理装置であって、
前記接続制御部は、前記ビデオ再生部が無線接続している外部端末との間でビデオコンテンツのデータ転送を開始する際に、当該外部端末が、前記第１の無線通信インタフェースに無線接続し、前記第２の無線通信インタフェースに無線接続していない場合に、前記外部端末の前記第２の無線通信規格で通信を行う機能の起動を前記第１の無線通信インタフェースと前記外部端末との無線接続を介して制御すると共に、前記ビデオ再生部に前記第２の無線通信インタフェースと前記外部端末との無線接続を用いたビデオコンテンツのデータ転送を行わせることを特徴とする情報処理装置。
【請求項８】
請求項１、２、３、４、５、６または７記載の情報処理装置であって、
当該情報処理装置は自動車に搭載される装置であることを特徴とする情報処理装置。
【請求項９】
外部端末を無線接続可能な、第１の無線通信規格で通信を行う第１の無線通信インタフェースと、外部端末を無線接続可能な、前記第１の無線通信規格よりも高速にデータ転送が可能、かつ、消費電力が大きい第２の無線通信規格で通信を行う第２の無線通信インタフェースを備えたコンピュータによって読み取られ実行されるコンピュータプログラムであって、
当該コンピュータプログラムは、前記コンピュータに、
当該コンピュータが、前記第１の無線通信インタフェースと前記第２の無線通信インタフェースとの双方に無線接続している外部端末との間でコンテンツのデータ転送を開始する際に、開始するデータ転送で転送するコンテンツが、所定の種別のコンテンツであるかどうかを検出する第１のステップと、
前記第１のステップにおいて開始するデータ転送の対象が所定の種別のコンテンツであることが検出された場合に、いずれかの無線接続を介して前記外部端末の前記第２の無線通信規格で通信を行う機能の停止を制御する第２のステップとを実行させることを特徴とするコンピュータプログラム。
【請求項１０】
請求項９記載のコンピュータプログラムであって、
前記コンテンツの所定の種別は、オーディオコンテンツであり、
前記第１のステップにおいて、当該コンピュータが、前記第１の無線通信インタフェースと前記第２の無線通信インタフェースとの双方に無線接続している外部端末との間でコンテンツのデータ転送を開始する際に、開始するデータ転送で転送するコンテンツが、オーディオコンテンツであるかどうかを検出し
前記第２のステップにおいて、前記第１のステップによって開始するデータ転送の対象がオーディオコンテンツであることが検出された場合に、いずれかの無線接続を介して前記外部端末の前記第２の無線通信規格で通信を行う機能の停止を制御すると共に、当該コンピュータが前記第１の無線通信インタフェースと前記外部端末との無線接続を用いたオーディオコンテンツのデータ転送を行うよう制御することを特徴とするコンピュータプログラム。
【請求項１１】
請求項９記載のコンピュータプログラムであって、
前記コンテンツの所定の種別は、ビデオコンテンツ以外のコンテンツの種別あり、
前記第１のステップにおいて、当該コンピュータが、前記第１の無線通信インタフェースと前記第２の無線通信インタフェースとの双方に無線接続している外部端末との間でコンテンツのデータ転送を開始する際に、開始するデータ転送で転送するコンテンツが、ビデオコンテンツ以外のコンテンツであるかどうかを検出し
前記第２のステップにおいて、第１のステップによって開始するデータ転送の対象がビデオコンテンツ以外のコンテンツであることが検出された場合に、いずれかの無線接続を介して前記外部端末の前記第２の無線通信規格で通信を行う機能の停止を制御すると共に、当該コンピュータが前記第１の無線通信インタフェースと前記外部端末との無線接続を用いたビデオコンテンツ以外のコンテンツのデータ転送を行うよう制御することを特徴とするコンピュータプログラム。
【請求項１２】
請求項１０または１１記載のコンピュータプログラムであって、
前記コンピュータに、
無線接続している外部端末との間でビデオコンテンツのデータ転送を開始する際に、当該外部端末が、前記第１の無線通信インタフェースに無線接続し、前記第２の無線通信インタフェースに無線接続していないかどうかを検出する第３のステップと、
前記第３のステップによって当該外部端末が、前記第１の無線通信インタフェースに無線接続し、前記第２の無線通信インタフェースに無線接続していないことが検出された場合に、前記外部端末の前記第２の無線通信規格で通信を行う機能の起動を前記第１の無線通信インタフェースと前記外部端末との無線接続を介して制御すると共に、当該コンピュータが前記第２の無線通信インタフェースと前記外部端末との無線接続を用いたビデオコンテンツのデータ転送を行うよう制御する第４のステップとを実行させることを特徴とするコンピュータプログラム。
【発明の詳細な説明】
【技術分野】
【０００１】
本発明は、低消費電力化のために外部端末の無線通信インタフェースを切り替える技術に関するものである。
【背景技術】
【０００２】
低消費電力化のために外部端末の無線通信インタフェースを切り替える技術としては、伝送速度は小さいが消費電力も小さい第１の無線通信インタフェースと伝送速度が大きいが消費電力も大きい第２の無線通信インタフェースとを備えたモバイル装置において、モバイル装置のバッテリの残量が所定量より少なくなったときや、無線通信インタフェースを用いて行っているデータ転送に必要な転送速度が小さいときに、使用する無線通信インタフェースを第２の無線通信インタフェースから第１の無線通信インタフェースに切り替える技術が知られている（たとえば、特許文献１）。
【先行技術文献】
【特許文献】
【０００３】
【特許文献１】特表２００７-５３６６０１号公報
【発明の概要】
【発明が解決しようとする課題】
【０００４】
上述したモバイル装置において、使用する無線通信インタフェースを切り替える技術は、モバイル装置自体にバッテリの残量やデータ転送に必要な転送速度に応じて無線通信インタフェースを切り替える機能を備えていない場合には適用することができない。
そこで、本発明は、外部端末と無線通信インタフェースで接続する情報処理装置であって、低消費電力化のために無線通信インタフェースを切り替える機能を備えていない外部端末の無線通信インタフェースの切り替えによる低消費電力化を実現できる情報処理装置を提供することを課題とする。
【課題を解決するための手段】
【０００５】
前記課題達成のために、本発明は、外部端末を無線接続可能な情報処理装置に、第１の無線通信規格で通信を行う第１の無線通信インタフェースと、前記第１の無線通信規格よりも高速にデータ転送が可能、かつ、消費電力が大きい第２の無線通信規格で通信を行う第２の無線通信インタフェースと、当該情報処理装置が、無線接続している外部端末との間でコンテンツのデータ転送を開始する際に、当該開始するデータ転送で転送するコンテンツの種別が所定の種別であり、かつ、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御する接続制御部とを備えたものである。
【０００６】
ここで、この情報処理装置は、当該情報処理装置に無線接続した外部端末からオーディオコンテンツをデータ転送し、再生出力するオーディオ再生部を設け、前記コンテンツの所定の種別を、オーディオコンテンツとし、前記接続制御部において、前記オーディオ再生部が、無線接続している外部端末との間でオーディオコンテンツのデータ転送を開始する際に、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御し、前記オーディオ再生部に前記第１の無線通信インタフェースと前記外部端末との無線接続を用いたオーディオコンテンツのデータ転送を行わせるよう構成してもよい。
【０００７】
また、この場合、この情報処理装置に、当該情報処理装置に無線接続した外部端末からビデオコンテンツをデータ転送し、再生出力するビデオ再生部を設けると共に、前記接続制御部において、前記ビデオ再生部が、無線接続している外部端末との間でビデオコンテンツのデータ転送を開始する際に、当該外部端末が、前記第１の無線通信インタフェースに無線接続し、前記第２の無線通信インタフェースに無線接続していない場合に、前記外部端末の前記第２の無線通信規格で通信を行う機能の起動を前記第１の無線通信インタフェースと前記外部端末との無線接続を介して制御し、前記ビデオ再生部に前記第２の無線通信インタフェースと前記外部端末との無線接続を用いたビデオコンテンツのデータ転送を行わせるようにしてもよい。
【０００８】
また、以上の情報処理装置は、前記接続制御部において、前記外部端末の前記第２の無線通信規格で通信を行う機能の停止の制御を、前記第１の無線通信インタフェースと前記外部端末との無線接続を介して行うように構成してよい。
また、以上の情報処理装置は、前記接続制御部において、前記オーディオ再生部が、無線接続している外部端末との間でオーディオコンテンツのデータ転送を開始する際に、当該外部端末が、前記第１の無線通信インタフェースと前記第２の無線通信インタフェースとの双方に無線接続している場合に、前記外部端末の前記第２の無線通信規格で通信を行う機能の停止の要否をユーザに問い合わせ、機能の停止が指示された場合にのみ、前記外部端末の前記第２の無線通信規格で通信を行う機能の停止を制御し、前記オーディオ再生部に前記第１の無線通信インタフェースと前記外部端末との無線接続を用いたオーディオコンテンツのデータ転送を行わせるように構成してもよい。
【０００９】
また、このような情報処理装置に、当該情報処理装置に無線接続した外部端末からビデオコンテンツをデータ転送し、再生出力するビデオ再生部を設け、前記コンテンツの所定の種別を、ビデオコンテンツ以外のコンテンツの種別とし、前記接続制御部において、当該情報処理装置が無線接続している外部端末との間でビデオコンテンツ以外の種別のコンテンツのデータ転送を開始する際に、当該外部端末が、前記第１の無線通信インタフェースと前記第２の無線通信インタフェースとの双方に無線接続している場合に、いずれかの無線接続を介して前記外部端末の前記第２の無線通信規格で通信を行う機能の停止を制御し、当該情報処理装置に前記第１の無線通信インタフェースと前記外部端末との無線接続を用いたビデオコンテンツ以外の種別のコンテンツのデータ転送を行わせるようにしてもよい。
【００１０】
ここで、この場合、前記接続制御部において、前記ビデオ再生部が無線接続している外部端末との間でビデオコンテンツのデータ転送を開始する際に、当該外部端末が、前記第１の無線通信インタフェースに無線接続し、前記第２の無線通信インタフェースに無線接続していない場合に、前記外部端末の前記第２の無線通信規格で通信を行う機能の起動を前記第１の無線通信インタフェースと前記外部端末との無線接続を介して制御すると共に、前記ビデオ再生部に前記第２の無線通信インタフェースと前記外部端末との無線接続を用いたビデオコンテンツのデータ転送を行わせるようにしてもよい。
【００１１】
また、以上の情報処理装置は自動車に搭載される装置であってよい。
以上のような情報処理装置によれば、ビデオコンテンツのように高速なデータ転送が必要のないオーディオコンテンツ等のコンテンツのデータ転送を行う場合に、消費電力の大きな外部端末の第２の無線通信規格の通信機能を停止して、第１の無線通信規格の無線接続でのデータ転送を行うので、外部端末からデータ転送されるコンテンツの情報処理装置における正常な利用を担保しつつ、外部端末の情報処理装置との無線接続中の低消費電力化を実現することができる。
【発明の効果】
【００１２】
以上のように、本発明によれば、外部端末と無線通信インタフェースで接続する情報処理装置において、低消費電力化のために無線通信インタフェースを切り替える機能を備えていない外部端末の無線通信インタフェースの切り替えによる低消費電力化を実現することができる。
【図面の簡単な説明】
【００１３】
【図１】本発明の実施形態に係る車載装置の構成を示すブロック図である。
【図２】本発明の実施形態に係る接続制御処理を表すフローチャートである。
【図３】本発明の実施形態に係る車載装置の表示例を示す図である
【図４】本発明の実施形態に係る接続制御処理の処理例を示す図である。
【発明を実施するための形態】
【００１４】
以下、本発明の実施形態について自動車に搭載される車載装置への適用を例にとり説明する。
図１に、本第１実施形態に係る車載装置の構成を示す。
図示するように車載装置１は、入力装置１０１、表示装置１０２、マイクやスピーカなどを備えた音声入出力装置１０３、記憶装置１０４、その他の周辺装置１０５、オペレーティングシステム１０６、オペレーティングシステム１０６によって管理されオペレーティングシステム１０６上で稼働するアプリケーション、IEEE 802.11規格に従った無線通信インタフェースであるＷｉ-Ｆｉインタフェース１０７、Bluetooth(登録商標)規格に従った無線通信インタフェースであるＢＴインタフェース１０８とを備えている。
【００１５】
また、車載装置１は、上述したアプリケーションとして、接続制御アプリケーション１１０、ミュージックプレイヤアプリケーション１１１と、ビデオプレイヤアプリケーション１１２と、Ｗｅｂブラウザアプリケーション１１３などを備えている。
また。車載装置１のＷｉ-Ｆｉインタフェース１０７には、IEEE 802.11規格に従った無線通信を行うＷｉ-Ｆｉ通信機能を備えたモバイル装置２を接続することができ、ＢＴインタフェース１０８には、Bluetooth(登録商標)規格に従った無線通信を行うＢＴ通信機能を備えたモバイル装置２を無線接続することができる。ここで、モバイル装置２は、Ｗｉ-Ｆｉ通信機能と、ＢＴ通信機能との双方を備えている場合、車載装置１のＷｉ-ＦｉとＢＴインタフェース１０８の双方に同時に接続することもできる。
【００１６】
また、車載装置１とモバイル装置２は、車載装置１のＷｉ-Ｆｉインタフェース１０７とモバイル装置２のＷｉ-Ｆｉ通信機能との間で、車載装置１のＢＴインタフェース１０８とモバイル装置２のＢＴ通信機能との間よりも高速にデータ転送を行うことができる。一方、モバイル装置２のＷｉ-Ｆｉ通信機能は、ＢＴ通信機能よりも電力消費が大きい。
【００１７】
なお、モバイル装置２は、スマートフォンやタブレット装置などの、ユーザによって携帯される装置である。
そして、車載装置１のミュージックプレイヤアプリケーション１１１は、記憶装置１０４に記録されているオーディオコンテンツや、無線接続したモバイル装置２から転送されたオーディオコンテンツの音声入出力装置１０３への再生出力と、その制御を行うアプリケーションである。
【００１８】
また、ビデオプレイヤアプリケーション１１２は、記憶装置１０４に記録されているビデオコンテンツや、無線接続したモバイル装置２から転送されたビデオコンテンツの音声入出力装置１０３と表示装置１０２への再生出力と、その制御を行うアプリケーションである。
【００１９】
また、Ｗｅｂブラウザアプリケーション１１３は、無線接続したモバイル装置２の移動通信機能を利用して、インターネット３上のＷｅｂコンテンツにアクセスし、音声入出力装置１０３と表示装置１０２への出力や、その制御を行うアプリケーションである。
ただし、以上のような車載装置１は、ハードウエア的には、ＣＰＵやメモリなどを備えたコンピュータを用いて構成されるものであり、オペレーティングシステム１０６や、各アプリケーションは、当該コンピュータが、所定のコンピュータプログラムを実行することにより実現されるものである。
【００２０】
さて、このような構成において、車載装置１が起動すると、接続制御アプリケーション１１０が起動され、起動された接続制御アプリケーション１１０は以下に示す接続制御処理を実行する。
図２に、この接続制御処理の手順を示す。
ここで、以下では、便宜上、車載装置１のＢＴインタフェース１０８とモバイル装置２のＢＴ機能との無線接続を「ＢＴ接続」と、車載装置１のＷｉ-Ｆｉインタフェース１０７とモバイル装置２のＷｉ-Ｆｉ機能との無線接続を「Ｗｉ-Ｆｉ接続」と呼ぶこととする。
【００２１】
図示するように、この接続制御処理は、現在、車載装置１がモバイル装置２とＢＴ接続中であるかどうかを調べ（ステップ２０２）、ＢＴ接続でなければモバイル装置２とＢＴ接続中となるのを待つ。
一方、車載装置１がモバイル装置２とＢＴ接続中であれば、車載装置１とＢＴ接続中のモバイル装置２との間のデータ転送の発生を、データ転送の対象となるコンテンツの種別と共に予測する（ステップ２０４）。
ここで、データ転送の発生の予測は、たとえば、次のように行う。
すなわち、車載装置１が、シングルタスク的に、同時に処理を行えるアプリケーションを一つだけに制限するものである場合には、処理を実行可能なアプリケーションの切り替えが発生したときに、処理を実行可能となるアプリケーションに応じてデータ転送の発生を予測するようにする。たとえば、処理を実行可能なアプリケーションがミュージックプレイヤアプリケーション１１１に切り替えられたときには、オーディオコンテンツのデータ転送の発生を予測し、処理を実行可能なアプリケーションがビデオプレイヤアプリケーション１１２に切り替えられたときには、ビデオコンテンツのデータ転送の発生を予測し、処理を実行可能なアプリケーションがＷｅｂブラウザアプリケーション１１３に切り替えられたときには、種別不明のコンテンツのデータ転送の発生を予測する。
【００２２】
または、データ転送の発生の予測は、次のように行うようにしてもよい。
すなわち、データ転送を行おうとするアプリケーションは、接続制御アプリケーション１１０にデータ転送の発生を予告する。そして、接続制御アプリケーション１１０は、データ転送の発生を予告したアプリケーションに応じて、データ転送の発生を予測する。すなわち、たとえば、ミュージックプレイヤアプリケーション１１１からデータ転送の発生の予告があったときには、オーディオコンテンツのデータ転送の発生を予測し、ビデオプレイヤアプリケーション１１２からデータ転送の発生の予告があったときには、ビデオコンテンツのデータ転送の発生を予測し、Ｗｅｂブラウザアプリケーション１１３からデータ転送の発生の予告があったときには、種別不明のコンテンツのデータ転送の発生を予測する。
【００２３】
または、データ転送の発生の予測は、次のように行うようにしてもよい。
すなわち、データ転送を行おうとするアプリケーションは、接続制御アプリケーション１１０にデータ転送を行おうとするコンテンツの種別またはコンテンツの識別を通知する。そして、接続制御アプリケーション１１０は、通知されたコンテンツの種別またはコンテンツの識別に応じて、データ転送の発生を予測する。すなわち、たとえば、通知されたコンテンツの種別がオーディオコンテンツであればオーディオコンテンツのデータ転送の発生を予測し、通知されたコンテンツの種別がビデオコンテンツであればビデオコンテンツのデータ転送の発生を予測する。または、通知されたコンテンツの識別がファイル名であれば、ファイルの拡張子がmp3やaacやwmaなどのオーディオファイルの拡張子であればオーディオコンテンツのデータ転送の発生を予測し、ファイルの拡張子がmpgやmp4やwmvやasfなどのビデオファイルの拡張子であればビデオコンテンツのデータ転送の発生を予測する。
【００２４】
そして、ステップ２０４でデータ転送の発生が予測されなかった場合には（ステップ２０６）、ステップ２０２からの処理に戻る。
一方、ステップ２０４でデータ転送の発生が予測された場合には、発生が予測されたデータ転送が、オーディオコンテンツの転送であるかどうかを判定し（ステップ２０８）、オーディオコンテンツの転送であれば、データ転送の発生が予測されたモバイル装置２とＷｉ-Ｆｉ接続中であるかどうかを調べ（ステップ２１０）、Ｗｉ-Ｆｉ接続中でなければステップ２０２に戻る。
【００２５】
一方、データ転送の発生が予測されたモバイル装置２とＷｉ-Ｆｉ接続中であれば（ステップ２１０）、たとえば、図３に示すような、モバイル装置２とのＷｉ-Ｆｉ接続を解除するよう促すメッセージ画面３００を表示装置１０２に表示する（ステップ２１２）。なお、図３は、ミュージックプレイヤアプリケーション１１１がアクティブアプリケーションとしての表示装置１０２に表示している、楽曲再生操作受け付けと楽曲情報の表示を行うミュージックプレイヤウインドウ３１上にメッセージ画面３００を表示したようすを表している。
【００２６】
そして、図３のメッセージ画面の「いいえ」ボタン３０１でモバイル装置２とのＷｉ-Ｆｉ接続の維持をユーザから指示された場合には（ステップ２１４）、ステップ２０２に戻る。
一方、図３のメッセージ画面の「はい」ボタン３０２でモバイル装置２とのＷｉ-Ｆｉ接続の解除がユーザから指示された場合には（ステップ２１６）、ＢＴ接続を介して、データ転送の発生が予測されたモバイル装置２のＷｉ-Ｆｉ機能の停止を制御し（ステップ２１８）、発生が予測されたデータ転送を行うアプリケーションとデータ転送の発生が予測されたモバイル装置２との間のデータ転送に用いるデータリンクとして、ＢＴ接続を用いるデータリンクが設定されていない場合には、当該データ転送に用いるデータリンクとしての、ＢＴ接続を用いるデータリンクの設定を制御する（ステップ２２０）。そして、ステップ２０２からの処理に戻る。ここで、ステップ２２０で、ＢＴ接続を用いるデータリンクの設定した後は、発生が予測されたデータ転送を行うアプリケーションとデータ転送の発生が予測されたモバイル装置２との間のデータ転送はＢＴ接続を用いるデータリンクで行われることとなる。また、ＢＴ接続はＷｉ-Ｆｉ接続よりも低速であるが、オーディオコンテンツの再生レート以上の速度でのデータ転送は充分に可能であるので、オーディオコンテンツをＢＴ接続によってデータ転送しても支障は生じない。
【００２７】
ここで、車載装置１からＢＴ接続を介してＷｉ-Ｆｉ機能の停止の制御を受けたモバイル装置２は、当該モバイル装置２のＷｉ-Ｆｉ機能を停止する。そして、これにより、モバイル装置２と車載装置１とのＷｉ-Ｆｉ接続は解除され、以降、モバイル装置２におけるＷｉ-Ｆｉ機能による電力消費も停止することとなる。なお、ステップ２１８では、ＢＴ接続を介してモバイル装置２のＷｉ-Ｆｉ機能の停止を制御したが、Ｗｉ-Ｆｉ接続を介してモバイル装置２のＷｉ-Ｆｉ機能の停止を制御するようにしてもよい。
【００２８】
さて、ステップ２０８に戻り、ステップ２０８において、ステップ２０４で発生が予測されたデータ転送が、オーディオコンテンツの転送でないと判定された場合には、データ転送の発生が予測されたモバイル装置２とＷｉ-Ｆｉ接続中であるかどうかを調べ（ステップ２２２）、Ｗｉ-Ｆｉ接続中であればステップ２０２に戻る。
【００２９】
一方、データ転送の発生が予測されたモバイル装置２とＷｉ-Ｆｉ接続中でなければ（ステップ２２２）、ＢＴインタフェース１０８を介して、データ転送の発生が予測されたモバイル装置２のＷｉ-Ｆｉ機能の起動を制御し（ステップ２２４）、発生が予測されたデータ転送を行うアプリケーションとデータ転送の発生が予測されたモバイル装置２との間のデータ転送に用いるデータリンクとしてのＷｉ-Ｆｉ接続を用いるデータリンクの設定を制御する（ステップ２２６）。そして、ステップ２０２からの処理に戻る。ここで、ステップ２２６でＷｉ-Ｆｉ接続を用いるデータリンクの設定した後は、発生が予測されたデータ転送を行うアプリケーションとデータ転送の発生が予測されたモバイル装置２との間のデータ転送はＷｉ-Ｆｉ接続を用いるデータリンクで行われることとなる。
【００３０】
ここで、車載装置１からＢＴインタフェース１０８を介してＷｉ-Ｆｉ機能の起動の制御を受けたモバイル装置２は、当該モバイル装置２のＷｉ-Ｆｉ機能を起動する。そして、これにより、モバイル装置２と車載装置１とのＷｉ-Ｆｉ接続が復帰する。
以上、接続制御アプリケーション１１０が行う接続制御処理について説明した。
以下、このような接続制御処理の処理例を示す、
いま、図４に示すように、車載装置１とモバイル装置２との、Ｗｉ-Ｆｉ接続（４０１）とＢＴ接続（４０２）とが確立している状態において、車載装置１において、ミュージックプレイヤアプリケーション１１１によるモバイル装置２からのオーディオコンテンツのデータ転送の発生が予測されると（４０３）、車載装置１からＢＴインタフェース１０８を介して、モバイル装置２のＷｉ-Ｆｉ機能のオフが制御され（４０４）、モバイル装置２においてＷｉ-Ｆｉ機能が停止し（４０５）、車載装置１とモバイル装置２との、Ｗｉ-Ｆｉ接続が解除される。
【００３１】
そして、車載装置１とモバイル装置２との間のオーディオコンテンツ転送用のデータリンクがＢＴ接続上に設定され（４０６）、設定されたデータリンクを用いてオーディオコンテンツのデータがモバイル装置２から車載装置１に転送され（４０７）、ミュージックプレイヤアプリケーション１１１によって再生出力される（４０８）。
【００３２】
そして、その後、車載装置１において、ビデオプレイヤアプリケーション１１２によるモバイル装置２からのビデオコンテンツのデータ転送の発生が予測されると（４０９）、車載装置１からＢＴインタフェース１０８を介して、モバイル装置２のＷｉ-Ｆｉ機能のオンが制御され（４１０）、モバイル装置２においてＷｉ-Ｆｉ機能が起動される（４１１）。
【００３３】
そして、これにより、モバイル装置２と車載装置１とのＷｉ-Ｆｉ接続が確立し（４１２）、モバイル装置２と車載装置１との間でＷｉ-Ｆｉ接続とＢＴ接続の双方が確立している状態に復帰する。
そして、次に、車載装置１とモバイル装置２との間のビデオコンテンツ転送用のデータリンクがＷｉ-Ｆｉ接続上に設定され４１３、設定されたデータリンクを用いてビデオコンテンツのデータがモバイル装置２から車載装置１に転送され（４１４）、ビデオプレイヤアプリケーション１１２によって再生出力される（４１５）。
【００３４】
以上、本発明の実施形態について説明した。
以上のように、本実施形態によれば、オーディオコンテンツのデータ転送を行う場合に、消費電力の大きなモバイル装置２のＷｉ-Ｆｉ機能を停止して、ＢＴ接続でオーディオコンテンツのデータ転送を行うので、モバイル装置２からデータ転送されるオーディオコンテンツの車載装置１における正常な利用を担保しつつ、モバイル装置２の車載装置１との接続中の低消費電力化を実現することができる。
【００３５】
ところで、以上の実施形態では、オーディオコンテンツのデータ転送を行う場合に、モバイル装置２のＷｉ-Ｆｉ機能を停止して、ＢＴ接続でオーディオコンテンツのデータ転送を行うようにしたが、オーディオコンテンツ以外の大きな転送レートを必要としないコンテンツの種別として予め定めた所定の種別のコンテンツのデータ転送を行う場合にも、モバイル装置２のＷｉ-Ｆｉ機能を停止して、ＢＴ接続でデータ転送を行うようにしてもよい。
【００３６】
または、以上の実施形態は、ビデオコンテンツなどの大きな転送レートを必要とする所定の種別のコンテンツ以外のコンテンツのデータ転送を行う場合には、モバイル装置２のＷｉ-Ｆｉ機能を停止して、ＢＴ接続でデータ転送を行うようにしてもよい。すなわち、たとえば、ビデオコンテンツ以外のコンテンツのデータ転送を行う場合には、モバイル装置２のＷｉ-Ｆｉ機能を停止して、ＢＴ接続でデータ転送を行い、ビデオコンテンツのデータ転送を行う場合にモバイル装置２とＷｉ-Ｆｉ接続していない場合には、モバイル装置２のＷｉ-Ｆｉ機能を起動して、Ｗｉ-Ｆｉ接続でビデオコンテンツのデータ転送を行うようにしてもよい。
【００３７】
また、以上の実施形態は、車載装置１とモバイル装置２との間を、IEEE 802.11規格（Ｗｉ-Ｆｉ）とBluetooth(登録商標)規格に従った無線通信で接続する場合について示したが、本実施形態は、モバイル装置２の消費電力が異なる複数の任意の無線通信規格によって車載装置１とモバイル装置２との間を接続する場合について同様に適用することができる。
【００３８】
また、以上の実施形態は、モバイル装置２が、消費電力が異なる複数の無線通信規格で接続される、車載装置１以外の任意の装置に同様に適用することができる。
また、モバイル装置に代えて、消費電力が異なる複数の無線通信規格を用いる外部端末を用いる場合にも同様に適用することができる。
【符号の説明】
【００３９】
１…車載装置、２…モバイル装置、３…インターネット、１０１…入力装置、１０２…表示装置、１０３…音声入出力装置、１０４…記憶装置、１０５…周辺装置、１０６…オペレーティングシステム、１０７…Ｆｉインタフェース、１０８…ＢＴインタフェース、１１０…接続制御アプリケーション、１１１…ミュージックプレイヤアプリケーション、１１２…ビデオプレイヤアプリケーション、１１３…Ｗｅｂブラウザアプリケーション。
【図１】
2015091024.tif 000003
【図２】
2015091024.tif 000004
【図３】
2015091024.tif 000005
【図４】
2015091024.tif 000006